(57)【要約】【課題】  パチンコ玉研磨揚送装置を挟んで左右に設置されるパチンコ島に関し、その設置に多少のずれがあっても、この誤差を吸収することのできる回収シュートを提供する。【解決手段】  回収シュート２４は、パチンコ島１の下部に組み込まれた回収装置１３によって回収されたパチンコ玉の流出口となる角穴１８と、パチンコ玉を研磨揚送機６に導くためのものであってベース板１９に支持された集約シュート２０と、の間を結んで架け渡される。そののち、回収シュート２４は、角穴１８側の一端に備えられた鍔２５を通じて、パチンコ玉研磨揚送装置４の収納ケース５にネジ止めされる。【選択図】  図４
2006167384.tif 000002
【特許請求の範囲】
【請求項１】
左右のパチンコ島の間にはパチンコ玉研磨揚送装置が配置され、前記パチンコ島から排出されるパチンコ玉を回収して前記パチンコ玉研磨揚送装置に導くために、該パチンコ玉研磨揚送装置に近接して配設されるパチンコ玉研磨揚送装置用の回収シュートにおいて、前記回収シュートは、パチンコ島に備わるパチンコ玉の流下口と、前記パチンコ玉研磨揚送装置の設置ベース上に支持された集約シュートとの間に架設されていることを特徴とするパチンコ玉研磨揚送装置用の回収シュート。
【請求項２】
前記パチンコ島に備わるパチンコ玉の流下口近傍には吊り金具が設けられ、該吊り金具に前記回収シュートの一端が係合して架設されることを特徴とする請求項１に記載のパチンコ玉研磨揚送装置用の回収シュート。
【請求項３】
前記吊り金具と前記回収シュートの一端との係合は、略水平方向に延設された長穴と、該長穴に挿入された突起とでもって形成される係合関係を有するものであることを特徴とする請求項１または２に記載のパチンコ玉研磨揚送装置用の回収シュート。
【発明の詳細な説明】
【技術分野】
【０００１】  本発明は、左右のパチンコ島に挟まれて設置されるパチンコ玉研磨揚送装置にパチンコ玉を導くために、該装置に近接して配設される回収シュートに関する。
【背景技術】
【０００２】  従来の技術として、特許文献１に開示された技術を、該特許文献１より転載した図５を参照しながら紹介する。すなわち、同図に示されている集約樋２６は、その左右に配設されたパチンコ島から排出されるパチンコ玉を回収し、還元機（パチンコ玉研磨揚送装置）に送り込むための仲介部品として、還元機の下部に近接して設けられるものである。そして、この集約樋２６は、還元機とは別体の構造とされ、かつ、パチンコ島台本体側に設けられることを特徴としている。【０００３】  集約樋２６の中央部には落下口３０が開設されており、集約樋２６に集まってくるパチンコ玉は、落下口３０に接して設置された球受樋５２を介して、整列させられながら、還元機の受入れ部へと導かれるようになっている。このとき、集約樋２６は、特許文献１の図１（本願には図示せず）に示されているように、集約樋２６の左右に設置されるパチンコ島台Ｓの側面側に直接、あるいは還元機を収容するための還元機ボックス２０を介して間接に取り付けられる。また、球受樋５２は、還元機に装着されたもので、還元機をスライドさせて還元機ボックスに収めることによって、集約樋２６の落下口３０に臨むように構成されている。【０００４】  上記のような構成としたことの効果が、以下のように説明されている。すなわち、集約樋は、それ以前は還元機側に設けられていたところ、還元機を設置しない状態であっても、パチンコ島台に組み込まれて左右から臨む回収樋の下流端と、集約樋の両端との位置合わせが容易に行えるようになり、パチンコ島台の組立時の作業性が向上するというものである。さらに、パチンコ玉の流れを事前にチェックしたあとで還元機を設置することが可能となり、還元機の出し入れの回数を減らすことができるとするものである。【０００５】
【特許文献１】  実用新案登録第２５８９５３４号公報
【発明の開示】
【発明が解決しようとする課題】
【０００６】  本発明も、上記の如き効果がそのまま得られるようになされたものである。しかしながら、上記構成になるパチンコ島は、還元機を挟んで左右に設置される２組のパチンコ島の間隔、２組のパチンコ島の前後方向のズレ、さらに左右のパチンコ島の設置の直線性などの点で、ある程度以上の設置精度が要求される。本発明は、このような問題を改善すべくなされたものであり、その目的は、設置後の美観を損ねない程度に許容される範囲内にあって、しかも上記引用例と比較してさらに大きな設置上の誤差があっても、その誤差を吸収することのできるパチンコ玉研磨揚送装置用の回収シュートを提供することにある。
【課題を解決するための手段】
【０００７】  本発明のパチンコ玉研磨揚送装置用の回収シュートは、上記の如き課題に鑑みなされたもので、左右のパチンコ島の間にはパチンコ玉研磨揚送装置が配置され、前記パチンコ島から排出されるパチンコ玉を回収して前記パチンコ玉研磨揚送装置に導くために、該パチンコ玉研磨揚送装置に近接して配設されるパチンコ玉研磨揚送装置用の回収シュートにおいて、前記回収シュートは、パチンコ島に備わるパチンコ玉の流下口と、前記パチンコ玉研磨揚送装置の設置ベース上に支持された集約シュートとの間に架設されていることを特徴とする。【０００８】  さらに、本発明のパチンコ玉研磨揚送装置用の回収シュートは、前記パチンコ島に備わるパチンコ玉の流下口近傍には吊り金具が設けられ、該吊り金具に前記回収シュートの一端が係合して架設されることを特徴とする。【０００９】  さらに、本発明のパチンコ玉研磨揚送装置用の回収シュートは、前記吊り金具と前記回収シュートの一端との係合は、略水平方向に延設された長穴と、該長穴に挿入された突起とでもって形成される係合関係を有するものであることを特徴とする。
【発明の効果】
【００１０】  パチンコ玉研磨揚送装置に臨んでパチンコ玉を導く集約シュートが設置ベース上に支持され、これと、パチンコ島に組み込まれたパチンコ玉の流下口との間を回収シュートを架け渡すことによって連絡する構成としたことにより、連接箇所に余裕が生まれることになるから、パチンコ島の設置の際の上下、前後、左右の誤差を吸収する余地が増加する。これにより、パチンコ島とパチンコ玉研磨揚送装置との関係において、パチンコ島の設置の際に、必要以上の高い設置精度が求められずに済むので、調整回数も一層少なくて済むことになるから、全体を通して作業性の向上が図られる。【００１１】  パチンコ島におけるパチンコ玉の流下口の近傍に取り付けた吊り金具に、回収シュートを係合させるという取り付け方法は、流下口と回収シュートとの位置関係が明確となるから、狭い場所における回収シュートの取り付け作業が容易となる。さらに、当該部の係合構造において、一方を水平方向に延伸する長穴とし、他方をこれに挿入させた突起とすることによって、パチンコ島の長手方向の調整範囲が一層広くなる。
【発明を実施するための最良の形態】
【００１２】  次に、本発明の最良の実施形態について、図を参照しながら説明する。なお、図１は、パチンコ玉研磨揚送装置を間にして設置されたパチンコ島の正面図、図２は、回収シュートの取り付け部分と、これを挟むパチンコ島下部の貯留タンク部の正面図を示したものである。また、図３は、その側面図を示し、図４は、回収シュート部分についての斜視図である。さらに、図５は、従来技術の一例を示す参考図である。【００１３】  まず、パチンコ玉の流れを追いながら、パチンコ島設備に関わる全体の構成について説明する。図１において、パチンコ島１は、横並びに並置された複数のパチンコ機２と、これらのパチンコ機２の間に設置された玉貸機３とでもって構成されるもので、ここでは、これらがさらに背中合わせにされた両面島として構成されている。そして、２組のパチンコ島１が長手方向に直線的に並列され、その間に挟まれる形で、パチンコ玉研磨揚送装置４が設置されている。【００１４】  パチンコ玉研磨揚送装置４は、塔状の収容ケース５と、その内部に収容される研磨揚送機６とを備えている。このうち、研磨揚送機６には、無端ベルト７が上下方向に掛け渡され、駆動モータによって周回するように形成されている。また、無端ベルト７が上方に向かって移動するベルトの側には、その外周面に対向して１本の研磨ベルトが、パチンコ玉より狭い間隔をもって上下方向に張り渡されている。研磨ベルトには、キャンバス、帆布などの布が使われる。パチンコ玉は、向かい合った２本のベルトの間に挟持されて揚送されていく間に、パチンコ玉に付着した塵、埃、手垢などが研磨ベルトによって拭い去られて、汚れ落しや除湿が施されることになる。【００１５】  研磨されながら揚送されたパチンコ玉は、パチンコ玉研磨揚送装置４の上部に配設された上部貯留タンク８に貯留される。この上部貯留タンク８の下部には、分流タンクが一体的に形成されている。さらにその分流タンクからは、分流樋９が、下り傾斜を有して左右に延設されており、その先端は、双方のパチンコ島１に向けられている。そして、上部貯留タンク８から分流樋９に流下したパチンコ玉は、分流樋９を通じて左右のパチンコ島１へと導かれるようになっている。【００１６】  分流樋９を通じて送られてくるパチンコ玉は、パチンコ島１の上部中央部に架設された図示しないパチンコ玉搬送装置によってパチンコ島端へと搬送される。パチンコ玉搬送装置の途中には、パチンコ機２および玉貸機３の各機に対応して補給シュートが設けられており、この補給シュートの受入れ口を通じてパチンコ玉が補充される。【００１７】  搬送途中で補給に利用されることなくパチンコ島１の末端まで運ばれたパチンコ玉は、末端部に設けられた排出ホース１０を通じて流下する。また、揚送されたパチンコ玉の数量が過剰となった場合には、上部貯留タンク８より流出して、その下部に設けられた排出樋１１を介してのち、排出ホース１２を通じて流下する。【００１８】  これらの流下するパチンコ玉は、パチンコ島１の下部に形成された回収装置１３によって、パチンコ玉研磨揚送装置４のある中央側に集まるようになっている。すなわち、排出ホース１０より流下するパチンコ玉は、島端貯留タンク１４に貯留される。���出ホース１２より流下するパチンコ玉は、下部貯留タンク１５に貯留される。また、各パチンコ機２より流下するパチンコ玉は、島端貯留タンク１４、下部貯留タンク１５、あるいは、これらの２つのタンクの間に渡って設置された傾斜搬送路１６の何れかに落下する。【００１９】  島端貯留タンク１４および下部貯留タンク１５のタンク内は、左右方向あるいは前後方向に傾斜する仕切り板によって多層に形成されている。パチンコ玉は、螺旋階段を下るようにして仕切り板の上を流下する間に整列させられ、タンクの最下部に集められる。この島端貯留タンク１４の最下部には傾斜リフター１７の最下端が臨むように配設され、パチンコ玉を受入れて、傾斜搬送路１６まで揚送して排出する。【００２０】  傾斜搬送路１６に送られたパチンコ玉は、傾斜面を転がって下部貯留タンク１５に流入する。そして、下部貯留タンク１５の最下部であって、パチンコ玉研磨揚送装置４に接する側に、パチンコ玉が集まるようになっている。パチンコ玉研磨揚送装置４の収容ケース５には、集まったパチンコ玉の通路を連絡する角穴１８が開設されている。【００２１】  次に、パチンコ玉のパチンコ島１から研磨揚送機６への導入機構について説明する。図２〜図４において、パチンコ玉研磨揚送装置４の設置場所となる床面には、ベース板１９が載置され、好ましくはアンカーボルトなどによって床面にしっかりと固定される。そして、このベース板１９の上には、集約シュート２０が固定されている。集約シュート２０は、溝状に形成されるとともに、一側面が開口されて、直交方向に傾斜樋２１を分岐させている。傾斜樋２１は下り傾斜を有して、その先端は、研磨揚送装置６の下部に形成された玉受け部に臨むように形成されている。傾斜樋２１の傾斜底面には、傾斜方向に沿った多数の案内溝２２が条設されており、流下するパチンコ玉は、案内溝２２によって整列させられながら研磨揚送装置６へと導かれる。【００２２】  ベース板１９が位置決めされたのち、パチンコ玉研磨揚送装置４の収容ケース５が設置されて、その両翼にパチンコ島１が設置される。パチンコ島１の底面には調整ボルト２３が取り付けられており、パチンコ島１の高さや水平度が微調整される。【００２３】  そののち、集約シュート２０の両側に、回収シュート２４が取り付けられる。回収シュート２４は溝状の形状を有し、収納ケース５の角穴１８と集約シュート２０との間に架け渡される。このとき、角穴１８から集約シュート２０にかけて緩やかな下り勾配となるように形成される。回収シュート２４と集約シュート２０とは、オーバーラップさせて長さに余裕を持たせてあり、また、溝幅方向にも若干の隙間を設けているので、左右２組のパチンコ島１の間で、上下・前後・左右間隔の若干のズレや、設置直線性の若干のズレがあったとしても、これらを吸収することができる。【００２４】  回収シュート２４は、その取り付け位置が決まると、回収シュート２４に備わる鍔２５に穿設されたネジ穴を通じて、収納ケース５の内壁面にネジ止めすることにより、取り付けが終了する。このとき、本実施例では、吊り金具２７を採用している。吊り金具２７は、収納ケース５に設けられた角穴１８の上方に近接して取り付けられており���吊り金具２７の採用によって、狭いスペース内での取り付け作業が一層行いやすくなる。【００２５】  さらに本実施例は、吊り金具２７の鍔に水平方向に長い長穴２８を設けている。対する回収シュート２４には突起２９が備えられ、長穴２８と係合するように形成されている。そして、このような係合機構を採用することにより、パチンコ島１の左右の間隔に関してさらに広い調整範囲を持たせることができる。回収シュート２４は、その取り付け位置が決まると、回収シュート２４に備わる鍔２５に穿設されたネジ穴を通じて、収納ケース５の内壁面にネジ止めされる。もちろん、吊り金具２７の長穴２８と回収シュート２４の突起２９との係合状態の関係は、逆にしたものであってもよい。【００２６】  上記したすべての設置を終えたのち、収納ケース５に研磨揚送機６を収容させることによって、パチンコ玉研磨揚送装置４が完成する。そして、このような構成は、さほど高い設置精度を要しないで済むから、パチンコ島１およびパチンコ玉研磨揚送装置４を遊技ホールなどに設置する際の作業性が、従来以上に向上する。
【図面の簡単な説明】
【００２７】
【図１】  パチンコ島およびパチンコ玉研磨揚送装置の全体を示す概略的な正面図である。
【図２】  図１における回収シュート周辺部の拡大した正面図である。
【図３】  図２の側面図を示す。
【図４】  回収シュートの取り付け状態を示す斜視図である。
【図５】  従来の技術を示す参考図である。
【符号の説明】
【００２８】  １  パチンコ島
２  パチンコ機
３  玉貸機
４  パチンコ玉研磨揚送装置
５  収納ケース
６  研磨揚送機
１５  下部貯留タンク
１８  角穴
１９  ベース板
２０  集約シュート
２４  回収シュート
２７  吊り金具
【図１】
2006167384.tif 000003
【図２】
2006167384.tif 000004
【図３】
2006167384.tif 000005
【図４】
2006167384.tif 000006
【図５】
2006167384.tif 000007